(57)【特許請求の範囲】
【請求項１】
複数のアンテナによって形成されたアンテナアレイをそれぞれが有するアンテナＲＦ処理ユニット（２１、２２、２３）と、前記複数のアンテナＲＦ処理ユニットにリモートで接続された中央処理ユニット（２４）とを含み、
前記中央処理ユニットが、
移動局群の各移動局のデータをＭＩＭＯ符号化して、移動局群の各移動局のデータから、マルチパスデータ記号を生成するようにするためのＭＩＭＯ符号化ユニット（２４１）と、
移動局群の各移動局のマルチパスデータ記号群の各マルチパスデータ記号に、そのマルチパスデータ記号およびその関連付けされたアンテナＲＦ処理ユニットに対応する重み付き係数ベクトルを掛けて、移動局群の各移動局の各マルチパスデータ記号のビーム形成データを獲得するためのビーム形成ユニット（２４２）とを含む、移動局群にサービスを提供する分散基地局（２０）であって、
前記ＭＩＭＯ符号化ユニット（２４１）は、少なくとも１つの移動局のための前記マルチパスデータ記号を少なくとも２つのアンテナＲＦ処理ユニットに関連付けするように適用され、
前記分散基地局は、少なくとも１つのアンテナＲＦ処理ユニットを複数の移動局に関連付けし、複数の移動局に関連付けされた各アンテナＲＦ処理ユニットのビーム形成データを重ね合わせ、重ね合わされたビーム形成データを、送信のためにそのすべてのアンテナに供給する重ね合わせユニット（２４３）をさらに含む、基地局（２０）。
【請求項２】
前記ＭＩＭＯ符号化ユニット（２４１）によって生成されるマルチパスデータ記号の数が、信号受信中に移動局群の各移動局によって受信されるビームの数と同一である、請求項１に記載の分散基地局（２０）。
【請求項３】
前記移動局の各マルチパスデータ記号のビーム形成データが、対応するアンテナＲＦ処理ユニットのすべてのアンテナ上で、前記移動局群に向かうビーム群を形成する、請求項１に記載の分散基地局（２０）。
【請求項４】
アンテナＲＦ処理ユニットの各アンテナＲＦ処理ユニットの各アンテナ上における移動局群の各移動局の重み付き係数ベクトルが、移動局群のチャネル測定情報およびフィードバック情報を使用し、他の移動局群に対する干渉を低減するための基準に基づいて計算される、請求項１に記載の分散基地局（２０）。
【請求項５】
前記ＭＩＭＯ符号化ユニット（２４１）が、空間時間ブロック符号化、空間周波数ブロック符号化、または空間の再利用を使用して符号化を実行する、請求項１に記載の分散基地局（２０）。
【請求項６】
請求項１から５のいずれか一項に記載の分散基地局（２０）と、複数の移動局（ＭＴ１、ＭＴ２、およびＭＴ３）とを含み、前記分散基地局（２０）が基地局（２０）のアンテナ群を介して移動局群の各移動局に直接に送信するビーム群が、対応する移動局のアンテナ群と一緒になってＭＩＭＯ伝送システムを構成する、通信システム（３０）。
【請求項７】
複数のアンテナＲＦ処理ユニット（２１、２２、２３）と、前記複数のアンテナＲＦ処理ユニットにリモートで接続された中央処理ユニット（２４）とを含む分散基地局（２０）と、移動局群との間において信号伝送の方法であって、
移動局群の各移動局に関して、前記基地局のデータをＭＩＭＯ符号化して、移動局群の各移動局のデータをマルチパスデータ記号に分割するためのＭＩＭＯ符号化ステップと、
移動局群の各移動局のマルチパスデータ記号の各マルチパスデータ記号に、そのマルチパスデータ記号に対応する重み付き係数ベクトルを掛けて、移動局群の各移動局の各マルチパスデータ記号のビーム形成データを獲得するためのビーム形成データ獲得ステップとを含み、前記方法はさらに、
前記移動局群の少なくとも１つのための前記マルチパスデータ記号を少なくとも２つのアンテナＲＦ処理ユニットに関連付けるステップと、少なくとも１つのアンテナＲＦ処理ユニットを複数の移動局に関連付けるステップとを含み、
複数の移動局に関連付けされる各アンテナＲＦ処理ユニットに前記ビーム形成データは重ね合わされ、重ね合わされたビーム形成データは送信のためにそのすべてのアンテナに供給される、方法。
【請求項８】
前記ＭＩＭＯ符号化ステップにおいて生成されるマルチパスデータ記号の数が、信号受信中に移動局群の各移動局によって受信されるビームの数と同一である、請求項７に記載の信号伝送の方法。
【請求項９】
前記移動局の各マルチパスデータ記号のビーム形成データが、対応するアンテナＲＦ処理ユニットのすべてのアンテナ上で、前記移動局群に向かうビーム群を形成する、請求項７に記載の信号伝送の方法。
【請求項１０】
アンテナＲＦ処理ユニットの各アンテナＲＦ処理ユニットの各アンテナ上における移動局群の各移動局の重み付き係数ベクトルが、移動局群のチャネル測定情報およびフィードバック情報を使用し、他の移動局群に対する干渉を低減するための基準に基づいて計算される、請求項７に記載の信号伝送の方法。
【請求項１１】
前記ＭＩＭＯ符号化ステップが、空間時間ブロック符号化、空間周波数ブロック符号化、または空間の再利用を使用して符号化を実行する、請求項７に記載の信号伝送の方法。
【発明の詳細な説明】
【技術分野】
【０００１】
本発明は、ＭＩＭＯ（多入力多出力）伝送に関し、詳細には、ＭＩＭＯ（多入力多出力）チャネルを使用して伝送を実行する分散構造基地局、その基地局を有する通信システム、ならびに前述した基地局および通信システムにおいて使用される信号伝送方法に関する。
【背景技術】
【０００２】
移動通信サービスの発展は、将来の無線通信システムの無線インタフェースの伝送能力に、より高い要件を課している。このため、高いピーク伝送速度、および大容量を有するシステムをどのように設計するかが、非常に大きい課題となっている。
【０００３】
限られた無線周波数リソースをより効率的に利用するため、ＴＤＭＡ（時間分割多重アクセス）技術、ＦＤＭＡ（周波数分割多重アクセス）技術、およびＣＤＭＡ（符号分割多重アクセス）技術が、移動通信において広く適用されてきた。以上の技術に基づき、２つの主要な移動通信ネットワーク、すなわち、ＧＳＭおよびＣＤＭＡが、セットアップされてきた。以上３つの既存の技術は、技術の点で広く応用されており、スペクトル利用率が、最大限にまで高まっている。
【０００４】
しかし、スペクトルリソースがますます限られてくるにつれ、将来の移動通信システムは、５ＧＨｚの周波数帯域のような、より高い周波数帯域に頼る可能性がある。より高い周波数帯域は、３Ｇシステムの２ＧＨｚ周波数帯域と比べて、より深刻なチャネルフェージングを意味し、高い伝送速度はより高い信号／ノイズ比およびより良好なチャネル伝送状況を要求する。したがって、将来の移動通信システムの基地局のカバレッジは、現在の２Ｇシステムおよび３Ｇシステムの基地局のカバレッジよりもはるかに小さくなるにちがいない。関連した研究結果によれば、通常、将来の基地局は、数百メートル以下の半径を有する。したがって、将来のシステムの要求を満たすように、将来のシステムにおいて従来のセルラーネットワーク構造が採用されることが可能であるか否か、および新たなアーキテクチャが設計されることが可能であるか否かは、注意深く考慮する価値のある問題となる。
【０００５】
以上の前提で提案されるＭＩＭＯ技術は、複数の送信アンテナ、および複数の受信アンテナを使用することにより、チャネル容量をさらに向上させる。受信側で理想的なチャネルパラメータ（訓練シーケンスまたはパイロットシーケンスを使用するチャネル推定を介して獲得することができる）が存在する場合、複数の送信アンテナと、複数の受信アンテナとを有するシステムの情報容量は、送信アンテナの数と受信アンテナの数のうち、小さい方の値に正比例する。レイリー低速フェージングチャネルのケースでは、ＭＩＭＯ技術は、多素子アンテナ素子、ならびに空間ダイバーシチおよび時間ダイバーシチのモデルを無線リンクの両端において適用して、システム容量が、大幅に向上させられ、無線リンク信頼度が、同時に向上させられるようにする。
【０００６】
よく知られているとおり、ＭＩＭＯ技術は、アンテナの間で豊富な散乱、および比較的独立した空間的相関を有する無線伝送環境に適している。チャネル環境が、見通し伝搬の諸条件の場合のように、比較的強い空間的相関を有する場合、ＭＩＭＯ性能は、大スケールにおいて低下する。これは、ＭＩＭＯ応用を制限する大きな問題である。
【０００７】
前述したとおり、基地局のカバレッジ半径がますます小さくなることを考慮すると、システムカバレッジを向上させるために、分散構造が導入されることが可能である。図１は、既存の分散構造の概略図を示す。図１に示されるとおり、３つのアンテナＲＦ処理ユニットＡＰ１、ＡＰ２、およびＡＰ３が、移動局ＭＴ１、ＭＴ２、およびＭＴ３にそれぞれ、より近い３つの位置に配置された３つのアクセスポイントの役割をして、ベースバンド処理ユニット１０が、集中処理装置である中央処理ユニットの役割をする。ベースバンド処理ユニット１０は、ＲｏＦ（光ファイバ無線）または銅線などの伝送形態で、複数のアンテナＲＦ処理ユニットＡＰ１、ＡＰ２、およびＡＰ３に接続されて、それらのアンテナのデータ変調およびデータ復調を実行することが可能である。
【０００８】
セルラーシステムにおける１対１形態とは異なり、アンテナＲＦ処理ユニットおよびベースバンド処理ユニットは、分散構造における多対１の接続および制御の形態である。図１に示される分散構造では、アンテナＲＦ処理ユニットのそれぞれは、４つのアンテナを備え、移動局群の各移動局は、２つのアンテナを備える。空間的相関の測定を介して、異なるアンテナＲＦ処理ユニットから２つのアンテナが選択されて、２×２のＭＩＭＯ伝送を形成することが可能である。例えば、アンテナＲＦ処理ユニットＡＰ１およびＡＰ３から選択された、それぞれの最初のアンテナが、移動局ＭＴ２に対する２×２のＭＩＭＯ伝送を形成する一方で、他のアンテナは、干渉を回避するように閉じられる。アンテナＲＦ処理ユニットＡＰ１とアンテナ処理ユニットＡＰ３は、互いから広く離隔しており、選択されたアンテナ間の相関は、非常に弱いので、分散配置されたリモートアンテナＲＦ処理ユニットの複数のペアによって構成されるＭＩＭＯチャネルは、空間的独立性のための諸条件をよく満たす可能性がある。
【発明の開示】
【発明が解決しようとする課題】
【０００９】
複数の移動局のケースでは、ＭＩＭＯチャネルを使用する前述の分散構造は、時間分割または周波数分割を主に利用して、複数の移動局向けの伝送を満たす。つまり、異なるスロット、または異なる周波数において、使用されるべきアンテナが、空間的相関に応じて選択され、システムは、異なる移動局にサービスを提供し、他のアンテナは、干渉を回避するために閉じられる。つまり、１つだけの移動局が、各スロット、または各周波数においてサービスを受ける。このことは、システム容量をひどく制限する。
【００１０】
技術的進展とともに、ビーム形成やＳＤＭＡ（空間分割多重アクセス）などの、システム容量を効果的に向上させることができるいくつかの技術が、近年、提案されてきた。移動通信の基地局に適用されるビーム形成技術は、アンテナアレイを利用して信号エネルギーを集めて、非常に狭いビームにして、伝送パワーを移動局方向に集中させてリンク利得を得て、これにより、アンテナ伝搬効率、無線リンク信頼度、および周波数多重化レートを向上させる。ＳＤＭＡ技術は、異なるビームサービスを利用する移動局向けにパケットを同時にスケジュールすることにより、ダウンリンクセルの出力を増加させることができ、これにより、空間的場所だけが異なる移動体ユーザが、１つの同じ従来の物理チャネルを多重化することを可能にする。その結果、ＳＤＭＡ技術を使用するシステムにおいて、複数の移動局が、スロット、周波数、および符号などの、同一の無線チャネルリソースを同時に使用することができ、移動局は、空間フィルタリングを介して分離される。これに関して、日本は、ＰＨＹＳシステム上でＳＤＭＡの試験および商業的利用に既に取りかかっている。
【課題を解決するための手段】
【００１１】
ＭＩＭＯチャネルを使用する分散構造におけるシステム容量が制限されているという問題に鑑みて、本発明は、システム容量を向上させるために前述の諸技術を参考にすることにより、分散基地局を提案する。基地局は、同一の無線チャネルリソースを占有し、基地局の１つまたは複数の分散アンテナＲＦ処理ユニットを使用して、付近の複数の移動局と通信することを同時に行う。移動局間の多重アクセス干渉を回避するため、移動局は、ビーム形成処理を介して離隔される。移動局に向かういくつかのビーム、および移動局上の複数のアンテナが、ＭＩＭＯ伝送をさらに構成して、移動局の伝送速度を高める。
【００１２】
本発明による分散基地局では、複数のアンテナＲＦ処理ユニットと、前記複数のアンテナＲＦ処理ユニットにリモートで接続された中央処理ユニットとが含まれる。アンテナＲＦ処理ユニットのそれぞれは、複数のアンテナによって形成されるアンテナアレイを有する。前記中央処理ユニットは、移動局群の各移動局のデータをＭＩＭＯ符号化して、移動局群の各移動局のデータが、マルチパスデータ記号を生成するようにするためのＭＩＭＯ符号化ユニットと、移動局群の各移動局のマルチパスデータ記号の各パスデータ記号に、そのパスデータ記号に対応する重み付き係数ベクトルを掛けて、移動局群の各移動局の各パスデータ記号のビーム形成データを獲得するためのビーム形成ユニットと、前記アンテナＲＦ処理ユニットにおける各アンテナに関して、そのアンテナに関するそれぞれの移動局のビーム形成データを重ね合わせて、重ね合わされたビーム形成データを、送信のためにそのアンテナに供給するための重ね合わせユニットとを含む。
【００１３】
本発明は、前述の分散基地局を有する通信システムをさらに提供する。前述の分散基地局が使用されるため、基地局が、基地局のアンテナ群を介して移動局群の各移動局に直接に送信するビームは、対応する移動局のアンテナ群とともにＭＩＭＯ伝送システムを構成する。
【００１４】
前述の分散基地局および通信システムにおいて使用される信号伝送方法は、以下のステップを含む。すなわち、移動局群の各移動局に関して、前記基地局のデータをＭＩＭＯ符号化して、移動局群の各移動局のデータをマルチパスデータ記号に分割するためのＭＩＭＯ符号化ステップ、移動局群の各移動局のマルチパスデータ記号の各パスデータ記号に、そのパスデータ記号に対応する重み付き係数ベクトルを掛けて、移動局群の各移動局の各パスデータ記号のビーム形成データを獲得するためのビーム形成データ獲得ステップ、および前記アンテナＲＦ処理ユニットにおける各アンテナに関して、そのアンテナに関するそれぞれの移動局のビーム形成データを重ね合わせて、重ね合わされたビーム形成データを、送信のためにそのアンテナに供給するための重ね合わせステップである。
【００１５】
複数のリモートアンテナＲＦ処理ユニットが共同処理を実行する、ＳＤＭＡ多重アクセスモードの採用のため、本発明の分散基地局、通信システム、および信号伝送方法は、移動局間の干渉を効果的に低減して、複数の移動局が、同一のチャネルリソースを使用して伝送を同時に実行することが可能になるようにすることができ、全体的システム容量が向上させられる。
【００１６】
本発明のその他の特徴および利点は、添付の図面と併せて解釈される、本発明の諸実施形態の詳細な説明を読むことで、より明白となろう。
【発明を実施するための最良の形態】
【００１７】
添付の図面を参照すると、本発明の諸実施形態が、詳細に示されている。
【００１８】
図２は、本発明による分散基地局の概略レイアウトを示す。便宜上、本発明のこの実施形態は、以下の状況を例にとることによって説明される。すなわち、分散基地局２０が、４つのアンテナをそれぞれが備えた、３つのリモートアンテナＲＦ処理ユニット２１、２２、および２３を採用する。図３を参照すると、２つのアンテナをそれぞれが備えた３つの移動局ＭＴ１、ＭＴ２、およびＭＴ３に、図２に示される分散基地局２０を使用することによって、サービスが同時に提供される。この場合、システムは、２×２のＭＩＭＯソリューションを採用し、このソリューションでは、アンテナＲＦ処理ユニット２１および２２が、ＭＴ２と連携してＭＩＭＯを形成する２つのビームを形成するように選択され、アンテナＲＦ処理ユニット２２および２３が、ＭＴ３と連携してＭＩＭＯを形成する２つのビームを形成するように選択される。
【００１９】
図２に示されるとおり、本発明による分散基地局は、ＲｏＦまたは銅線のような伝送形態で３つのアンテナＲＦ処理ユニット２１、２２、および２３に接続された中央処理ユニット２４をさらに含む。中央処理ユニット２４は、ＭＩＭＯ符号化ユニット２４１と、ビーム形成ユニット２４２と、重ね合わせユニット２４３とを含む。
【００２０】
分散基地局２０の動作中、移動局ＭＴ１のデータＳ１が、ＭＩＭＯ符号化ユニット２４１１によって符号化されて、２つのパスデータ記号Ｓ１１およびＳ１２が生成される。ＭＩＭＯ符号化ユニットの処理は、ＳＴＢＣ（Ｓｐａｃｅ  Ｔｉｍｅ  Ｂｌｏｃｋ  Ｃｏｄｅ、空間時間ブロック符号化）、ＳＦＢＣ（Ｓｐａｃｅ  Ｆｒｅｑｕｅｎｃｙ  Ｂｌｏｃｋ  Ｃｏｄｅ、空間周波数ブロック符号化）、およびＶ−ＢＬＡＳＴ（Ｓｐａｔｉａｌ  Ｒｅｕｓｅ、空間の再利用）のいずれか１つをとることが可能である。２つのパスデータ記号Ｓ１１およびＳ１２は、移動局ＭＴ１に対応するビーム形成ユニット２４２１および２４２２にそれぞれ供給される。これら２つのビーム形成ユニットは、アンテナＲＦ処理ユニット２１および２２にそれぞれ対応し、ユニット２１および２２は、ビームを形成するように移動局ＭＴ１によって選択されている。ビーム形成ユニット２４２１において、入力データ記号Ｓ１１に、ビーム形成ユニット２４２１の重み付きベクトルＷ１１が掛けられて、アンテナＲＦ処理ユニット２１の４つのアンテナに関するデータ記号Ｓ１１のビーム形成データが獲得される。重み付きベクトルＷ１１は、アンテナＲＦ処理ユニット２１のすべてのアンテナ（この実施形態では、４つの）上における、移動局ＭＴ１のデータ記号の重み付き係数ベクトルを表す。ビーム形成ユニット２４２２において、入力データ記号Ｓ１２に、ビーム形成ユニット２４２２の重み付きベクトルＷ１２が掛けられて、アンテナＲＦ処理ユニット２２の４つのアンテナに関するデータ記号Ｓ１２のビーム形成データが獲得される。重み付きベクトルＷ１２は、アンテナＲＦ処理ユニット２２のすべてのアンテナ（この実施形態では、４つの）上における、移動局ＭＴ１のデータ記号の重み付き係数ベクトルを表す。この実施形態では、アンテナＲＦ処理ユニット群の各アンテナＲＦ処理ユニットのアンテナ群の各アンテナ上における、移動局群の各移動局の重み付きベクトルは、移動局群のチャネル測定情報およびフィードバック情報を使用し、他の移動局群に対する干渉を低減するための一般的に使用される基準、またはその他の好ましい基準に基づいて計算される。
【００２１】
移動局ＭＴ２およびＭＴ３に対して分散基地局２０によって実行されるデータ処理は、移動局ＭＴ１に対する前述のデータ処理と同様である。違いは、移動局ＭＴ２が、アンテナＲＦ処理ユニット２１および２３を、ビームを形成する２つのアンテナＲＦ処理ユニットとして選択するので、２つのビーム形成ユニット２４２３および２４２４が、アンテナＲＦ処理ユニット２１の４つのアンテナ、およびアンテナＲＦ処理ユニット２３の４つのアンテナにそれぞれ関するビーム形成データを獲得することである。移動局ＭＴ３に対するデータ処理は、アンテナＲＦ処理ユニット２２の４つのアンテナ、およびアンテナＲＦ処理ユニット２３の４つのアンテナにそれぞれ関するビーム形成データをもたらす。
【００２２】
その後、アンテナＲＦ処理ユニット２１、２２、および２３のアンテナ群の各アンテナに関して、重ね合わせユニット２４３が、そのアンテナに関する移動局群の各移動局のビーム形成データを重ね合わせ、重ね合わされたビーム形成データを、アンテナＲＦ処理ユニット群のすべてのアンテナ上でそれぞれの移動局に向かうビーム群に形成して、それぞれの移動局に、それぞれの移動局に対応するマルチパスデータ記号を送信するようにする。
【００２３】
本発明の分散基地局によって送信される信号の受信を以下に説明する。
【００２４】
この実施形態では、アンテナＲＦ処理ユニットの２つが、移動局の１つと連携してＭＩＭＯ伝送を形成するように選択され、アンテナＲＦ処理ユニット群の各アンテナＲＦ処理ユニットは、４つのアンテナを有する。このため、ＭＩＭＯチャネルは、８×２のチャネルであり、
【数１】
0004546436.tif 000002
ここで、ｈｉ，１．．．４は、選択された第１のアンテナＲＦ処理ユニットの４つのアンテナのチャネル応答であり、ｈｉ，２．．．８は、選択された第２のアンテナＲＦ処理ユニットの４つのアンテナのチャネル応答である。
【００２５】
移動局によって受信されるデータは、以下のとおり表現されることが可能である。すなわち、
【数２】
0004546436.tif 000003
であり、上式は、
【数３】
0004546436.tif 000004
を経て、２＊２のＭＩＭＯチャネルと等価である。
【００２６】
移動局側で、送信された信号をうまく検出するために、送信機側で設定された重み付きベクトル情報が獲得されなければならず、アンテナＲＦ処理ユニット群によって送信されたデータを検出するように、そのベクトル情報に、実際のチャネル推定値で重み付けが行われる。
【００２７】
図３は、前述の分散基地局を有する通信システムの概略図を示す。図３に示される通信システム３０は、図２に示される構造を有する分散基地局２０、およびその基地局のカバレッジエリア内の複数の移動局ＭＴ１、ＭＴ２、およびＭＴ３を含む。分散基地局２０は、３つのアンテナＲＦ処理ユニット２１、２２、および２３、ならびに中央処理ユニット２４を含む。
【００２８】
図２の説明から見ると、分散基地局２０におけるそれぞれのアンテナＲＦ処理ユニット２１、２２、および２３は、それぞれのユニット２１、２２、および２３自らの複数のアンテナ、例えば、この実施形態では、４つのアンテナによって形成されるアンテナアレイを使用して、移動局ＭＴ１、ＭＴ２、およびＭＴ３に指向性ビームを送信し、図３に示されるとおり、２つのビームが、移動局群の各移動局に向かい、その移動局上の２つのアンテナが、２×２のＭＩＭＯ伝送をさらに形成して、伝送速度を高める。
【００２９】
図４は、本発明による分散基地局および通信システムにおいて使用される信号伝送方法の流れ図を示す。図４に示される流れ図は、ステップ４０１で始まる。ステップ４０２で、ＭＩＭＯ符号化が、移動局群の各移動局のデータに対して実行され、移動局群の各移動局のデータが、Ｍ個のパスデータ記号に分割され、Ｍは、信号受信中に移動局によって受信されるビームの数である。次に、フローは、ステップ４０３に進み、移動局群の各移動局のＭ個のパスデータ記号に、そのパスデータ記号に対応する重み付き係数ベクトルが掛けられて、移動局群の各移動局の各パスデータ記号のビーム形成データが獲得される。重み付き係数ベクトルは、データ記号が送信されるべきアンテナＲＦ処理ユニットのすべてのアンテナ上で重み付けが行われた移動局のデータ記号に関する、重み付き係数ベクトルを表す。次に、図４に示されるフローは、ステップ４０４に進む。ステップ４０４で、アンテナＲＦ処理ユニットのアンテナ群の各アンテナに関して、そのアンテナに関するそれぞれの移動局のビーム形成データが、重ね合わされ、それぞれの移動局に向かうビームが、アンテナＲＦ処理ユニットのすべてのアンテナ上の重ね合わされたビーム形成データによって形成されて、それぞれの移動局に、それぞれの移動局に対応するマルチパスデータ記号が送信されるようになる。図４に示されるフローは、ステップ４０５で終了する。
【００３０】
本発明の分散基地局、通信システム、ならびのその基地局および通信システムの信号伝送方法では、以下の利点が達せられることが可能である。すなわち、
１．ＭＩＭＯおよびＳＤＭＡに対する共同処理のため、システム容量が、大スケールにおいて向上させられる。
２．本発明によって提供される技術的ソリューションにおける複雑なアルゴリズムは、基地局側で扱われ、移動局に複雑さが増すことは全くない。したがって、本発明は、移動局の費用を低減するのに大いに役立つ。
３．移動局間の複数のアクセス干渉が、ビーム形成を使用して有効に抑えられ、分散構造の採用に起因して生じさせられるセル間の干渉は、全く存在しない。したがって、本発明は、共通周波数ネットワーキングを円滑にし、ＭＩＭＯ−ＯＦＤＭシステムによく適合する。
４．ＭＩＭＯ伝送は、異なる基地局からのビームによって形成されるので、空間無線チャネルは、比較的互いに独立であり、ＭＩＭＯ伝送は、適しており、従来のＭＩＭＯが、空間的相関に影響されやすいという問題が、解決される。さらに、ＳＤＭＡは、見通し線を有する環境によりよく適する。したがって、本発明の技術的ソリューションは、見通し線、および小さいカバレッジを有する都市環境によりよく適する。
【００３１】
以上の実施形態は、例示および説明の目的で提示されたことが、当業者には理解されよう。本発明の分散基地局および通信システムは、システム構成に応じて、より多くのアンテナＲＦ処理ユニットを使用してもよく、それらのアンテナＲＦ処理ユニットのアンテナの数を設定することを介して、より多くの移動局に同時にサービスを提供してもよい。さらに、各移動局によって受信されるビームの数も、システム構成の変更に合わせて調整されることが可能である。
【００３２】
様々な変更および変形が、本発明の趣旨および範囲を逸脱することなく、行われることが可能であり、本発明の範囲は、添付の特許請求の範囲によって定義される。
【図面の簡単な説明】
【００３３】
【図１】既存の分散通信システムの概略レイアウトを示す図である。
【図２】本発明による分散基地局の概略レイアウトを示す図である。
【図３】本発明による分散通信システムの概略レイアウトを示す図である。
【図４】本発明による信号伝送方法を示す流れ図である。
【符号の説明】
【００３４】
２０  基地局
２１、２２、２３、ＡＰ１、ＡＰ２、ＡＰ３  アンテナＲＦ処理ユニット
２４  中央処理ユニット
２４１、２４１１  ＭＩＭＯ符号化ユニット
２４２、２４２１、２４２２、２４２３、２４２４  ビーム形成ユニット
２４３  重ね合わせユニット
ＭＴ１、ＭＴ２、ＭＴ３  移動局
Ｓ１  データ
Ｓ１１、Ｓ１２  パスデータ記号
Ｗ１１、Ｗ１２  重み付きベクトル
【図１】
0004546436.tif 000005
【図２】
0004546436.tif 000006
【図３】
0004546436.tif 000007
【図４】
0004546436.tif 000008